(57)【要約】【課題】悪戯行為により顔画像による照合ができないような状態を早期に発見する。【解決手段】信頼度計算部２１２は、器官抽出部２１１により画像より抽出された照合対象者の顔画像を構成する器官に基づいて、顔画像の信頼度を計算し、信頼度が信頼度閾値より大きい場合、顔画像出力部２１５は、器官抽出部２１１により抽出された器官より照合対象者の顔画像を出力し、照合対象者の顔画像が出力できない状態が所定期間以上継続した場合、信頼度閾値が、下限値よりも小さくないとき、信頼度閾値管理部２４５は、所定の設定値を低減させ、さらに、所定期間以上照合対象者の顔画像が取得できない状態となり、信頼度閾値が下限値となった場合、悪戯検知部２２８は、カメラ３８に悪戯による異常が発生したことを通知する。本発明は、監視システムに適用することができる。【選択図】図９
2008187532.tif 000002
【特許請求の範囲】
【請求項１】
画像を撮像する撮像手段と、
前記画像より照合対象者の顔画像を構成する器官を抽出する器官抽出手段と、
前記器官抽出手段により抽出された前記器官に基づいて、顔画像としての信頼度を計算する信頼度計算手段と、
前記信頼度計算手段により計算された信頼度と、信頼度閾値とを比較し、前記顔画像の信頼度を判定する信頼度判定手段と、
前記信頼度判定手段の判定結果により、前記信頼度が前記信頼度閾値より大きい場合、前記器官抽出手段により抽出された器官より照合対象者の顔画像を出力する出力手段と、
前記出力手段により前記照合対象者の顔画像が出力できない状態が所定期間以上継続した場合、前記信頼度閾値が、下限値よりも小さくないとき、前記信頼度閾値を低減させるように設定する設定手段と、
前記出力手段により前記照合対象者の顔画像が出力できない状態が所定期間以上継続した場合、前記信頼度閾値が、前記下限値よりも小さいとき、前記撮像手段に異常が発生したことを通知する通知手段と
を含む監視装置。
【請求項２】
前記画像が撮像された遊技台の稼働状況を取得する取得手段をさらに含み、
前記設定手段は、前記画像が撮像された遊技台の稼働状況が稼働中である場合、前記出力手段により前記照合対象者の顔画像が出力できない状態が所定期間以上継続し、前記信頼度閾値が、前記下限値よりも小さくないとき、前記信頼度閾値を低減させるように設定し、
前記通知手段は、前記画像が撮像された遊技台の稼働状況が稼働中である場合、前記取得手段により所定期間以上前記照合対象者の顔画像が取得できない状態となり、前記信頼度閾値が、前記下限値よりも小さいとき、前記撮像手段に異常が発生したことを通知する
請求項１に記載の監視装置。
【請求項３】
前記設定手段は、前記画像が撮像された遊技台の稼働状況が稼働中ではない場合、前記出力手段により前記照合対象者の顔画像が出力できない状態が所定期間以上継続し、前記信頼度閾値が、前記下限値よりも小さいとき、前記信頼度閾値を標準値に戻すように設定する
請求項２に記載の監視装置。
【請求項４】
前記設定手段は、前記出力手段により前記照合対象者の顔画像が出力できる状態の場合、前記信頼度閾値が、前記下限値よりも小さいとき、前記信頼度閾値を標準値に戻すように設定する
請求項１に記載の監視装置。
【請求項５】
予め登録された登録者の顔画像を蓄積する蓄積手段と、
前記取得手段により取得された照合対象者の顔画像と、前記蓄積手段に蓄積された登録者の顔画像との類似度を計算し、照合する照合手段と、
前記照合手段の照合結果である類似度と類似度閾値との比較により、前記照合対象者の顔画像が登録者の顔画像であるか否かを判定する類似度判定手段と、
前記類似度判定手段により前記照合対象者が前記登録者であると判定された場合、前記照合対象者が前記登録者であることを発報する発報手段とをさらに含む
請求項１に記載の監視装置。
【請求項６】
前記照合対象者の顔画像より特徴量を抽出する特徴量抽出手段とをさらに含み、
前記照合手段は、前記取得手段により取得された照合対象者の顔画像と、前記蓄積手段に蓄積された登録者の顔画像との特徴量を用いて類似度を計算し、前記取得手段により取得された照合対象者の顔画像と、前記蓄積手段に蓄積された登録者の顔画像とを照合する
請求項５に記載の監視装置。
【請求項７】
前記類似度判定手段により前記照合対象者が前記登録者ではないと判定された場合、前記照合対象者の顔画像を未登録者として登録する未登録者登録手段とをさらに含む
請求項６に記載の監視装置。
【請求項８】
前記蓄積手段は、予め登録された登録者の顔画像をデータベースとして蓄積し、
前記データベースには、前記未登録者登録手段により所定回数以上登録された未登録者の顔画像が、前記登録者の顔画像として登録される
請求項７に記載の監視装置。
【請求項９】
画像を撮像する撮像ステップと、
前記画像より照合対象者の顔画像を構成する器官を抽出する器官抽出ステップと、
前記器官抽出ステップの処理により抽出された前記器官に基づいて、顔画像としての信頼度を計算する信頼度計算ステップと、
前記信頼度計算ステップの処理により計算された信頼度と、信頼度閾値とを比較し、前記顔画像の信頼度を判定する信頼度判定ステップと、
前記信頼度判定ステップの処理での判定結果により、前記信頼度が前記信頼度閾値より大きい場合、前記器官抽出ステップの処理により抽出された器官より照合対象者の顔画像を出力する出力ステップと、
前記出力ステップの処理により前記照合対象者の顔画像が出力できない状態が所定期間以上継続した場合、前記信頼度閾値が、下限値よりも小さくないとき、前記信頼度閾値を低減させるように設定する設定ステップと、
前記出力ステップの処理により前記照合対象者の顔画像が出力できない状態が所定期間以上継続した場合、前記信頼度閾値が、前記下限値よりも小さいとき、前記撮像ステップの処理で異常が発生したことを通知する通知手段と
を含む監視方法。
【請求項１０】
画像を撮像する撮像ステップと、
前記画像より照合対象者の顔画像を構成する器官を抽出する器官抽出ステップと、
前記器官抽出ステップの処理により抽出された前記器官に基づいて、顔画像としての信頼度を計算する信頼度計算ステップと、
前記信頼度計算ステップの処理により計算された信頼度と、信頼度閾値とを比較し、前記顔画像の信頼度を判定する信頼度判定ステップと、
前記信頼度判定ステップの処理での判定結果により、前記信頼度が前記信頼度閾値より大きい場合、前記器官抽出ステップの処理により抽出された器官より照合対象者の顔画像を出力する出力ステップと、
前記出力ステップの処理により前記照合対象者の顔画像が出力できない状態が所定期間以上継続した場合、前記信頼度閾値が、下限値よりも小さくないとき、前記所定の設定値を低減させるように設定する設定ステップと、
前記出力ステップの処理により前記照合対象者の顔画像が出力できない状態が所定期間以上継続した場合、前記信頼度閾値が、下限値よりも小さいとき、前記撮像ステップの処理で異常が発生したことを通知する通知手段と
を含む処理をコンピュータに実行させるプログラム。
【発明の詳細な説明】
【技術分野】
【０００１】
本発明は、監視装置および監視方法、並びにプログラムに関し、特に、悪戯行為により生体情報の照合ができない状態を早期に発見できるようにした監視装置および方法、並びにプログラムに関する。
【背景技術】
【０００２】
画像を撮像し、撮像した画像より顔画像などの生体情報を抽出して照合する技術が一般に普及しつつある。
【０００３】
生体情報の認証を行うには、抽出されてくる生体情報のうち、照合に適した生体情報を選択して使用する必要がある。
【０００４】
例えば、遊技店の遊技客の生体情報を遊技台または遊技台周辺機器に設置されたカメラにて取得する顔画像を生体情報として取得し、取得した生体情報である顔画像と予め登録された顔画像とを照合する際、最適な顔画像を選択する技術が提案されている（特許文献１参照）。
【０００５】
【特許文献１】特開２００１−１７８９５８号公報
【発明の開示】
【発明が解決しようとする課題】
【０００６】
ところで、特許文献１において、遊技者の最適顔画像を取得する為に遊技台または遊技台周辺にて生体情報を取得する為にカメラが設けられているが、このカメラのレンズは、遊技者に対して比較的近い位置に設置されていることから、遊技者自身によりガムやサインペンなどでマスキングされたり、または落書きされるなどの悪戯行為がなされてしまうことがあった。
【０００７】
また、一定の条件下で照合に適した生体情報が取得できた場合にのみ照合を行う構成である場合、悪戯行為により生体情報が取得できないときでも、単に照合に適した生体情報が取得できないと判定されてしまうことがあり、係員が目視にて悪戯行為に気付いて、悪戯の要因が排除されるまで生体情報を取得する事ができないことがあった。
【０００８】
さらに、所定の顔画像をトラッキングする際、すなわち追跡する際、トラッキングされてくる画像の中から予め設定された条件を満たす生体情報が抽出された時にのみ生体情報を照合する構成、例えば、照合に適した顔画像のみを抽出して照合する構成などの場合、カメラ本体に異常が発生していることを示す発報がなされない限り、カメラ異常と認識されない為、悪戯などにより生体情報が抽出しにくい状態であるとき、すなわち、生体情報の一部は抽出できるが、その全てを抽出することができない程度に画像の一部が隠されているような状態であると、カメラ異常として認識される事がないので、遊技者により意図的に照合ができない状態が作り出されていても、その状態を認識することができないことがあった。
【０００９】
本発明はこのような状況に鑑みてなされたものであり、遊技台または遊技台周辺に設置されたカメラにて顔画像などの生体情報が取得できない状態が継続した場合、遊技者の顔向きなどの影響により照合に適した顔画像が生体画像として取得できないのか、または、悪戯行為により生体情報としての顔画像が取得できないのかを判定できるようにすることで、悪戯行為により顔画像による照合ができない状態を早期に発見できるようにするものである。
【課題を解決するための手段】
【００１０】
本発明の一側面の監視装置は、画像を撮像する撮像手段と、前記画像より照合対象者の顔画像を構成する器官を抽出する器官抽出手段と、前記器官抽出手段により抽出された前記器官に基づいて、顔画像としての信頼度を計算する信頼度計算手段と、前記信頼度計算手段により計算された信頼度と、信頼度閾値とを比較し、前記顔画像の信頼度を判定する信頼度判定手段と、前記信頼度判定手段の判定結果により、前記信頼度が前記信頼度閾値より大きい場合、前記器官抽出手段により抽出された器官より照合対象者の顔画像を出力する出力手段と、前記出力手段により前記照合対象者の顔画像が出力できない状態が所定期間以上継続した場合、前記信頼度閾値が、下限値よりも小さくないとき、前記信頼度閾値を低減させるように設定する設定手段と、前記出力手段により前記照合対象者の顔画像が出力できない状態が所定期間以上継続した場合、前記信頼度閾値が、下限値よりも小さいとき、前記撮像手段に異常が発生したことを通知する通知手段とを含む。
【００１１】
前記画像が撮像された遊技台の稼働状況を取得する取得手段をさらに含ませるようにすることができ、前記設定手段には、前記画像が撮像された遊技台の稼働状況が稼働中である場合、前記出力手段により前記照合対象者の顔画像が出力できない状態が所定期間以上継続し、前記信頼度閾値が、前記下限値よりも小さくないとき、前記信頼度閾値を低減させるように設定させるようにすることができ、前記通知手段には、前記画像が撮像された遊技台の稼働状況が稼働中である場合、前記取得手段により所定期間以上前記照合対象者の顔画像が取得できない状態となり、前記信頼度閾値が、前記下限値よりも小さいとき、前記撮像手段に異常が発生したことを通知させるようにすることができる。
【００１２】
前記設定手段には、前記画像が撮像された遊技台の稼働状況が稼働中ではない場合、前記出力手段により前記照合対象者の顔画像が出力できない状態が所定期間以上継続し、前記信頼度閾値が、下限値よりも小さいとき、前記信頼度閾値を標準値に戻すように設定させるようにすることができる。
【００１３】
前記設定手段には、前記出力手段により前記照合対象者の顔画像が出力できる状態の場合、前記信頼度閾値が、前記下限値よりも小さいとき、前記信頼度閾値を標準値に戻すように設定させることができる。
【００１４】
予め登録された登録者の顔画像を蓄積する蓄積手段と、前記取得手段により取得された照合対象者の顔画像と、前記蓄積手段に蓄積された登録者の顔画像との類似度を計算し、照合する照合手段と、前記照合手段の照合結果である類似度と類似度閾値との比較により、前記照合対象者の顔画像が登録者の顔画像であるか否かを判定する類似度判定手段と、前記類似度判定手段により前記照合対象者が前記登録者であると判定された場合、前記照合対象者が前記登録者であることを発報する発報手段とをさらに含ませるようにすることができる。
【００１５】
前記照合対象者の顔画像より特徴量を抽出する特徴量抽出手段とをさらに含ませるようにすることができ、前記照合手段は、前記取得手段により取得された照合対象者の顔画像と、前記蓄積手段に蓄積された登録者の顔画像との特徴量を用いて類似度を計算し、前記取得手段により取得された照合対象者の顔画像と、前記蓄積手段に蓄積された登録者の顔画像とを照合させるようにすることができる。
【００１６】
前記類似度判定手段により前記照合対象者が前記登録者ではないと判定された場合、前記照合対象者の顔画像を未登録者として登録する未登録者登録手段とをさらに含ませるようにすることができる。
【００１７】
前記蓄積手段には、予め登録された登録者の顔画像をデータベースとして蓄積させ、前記データベースには、前記未登録者登録手段により所定回数以上登録された未登録者の顔画像が、前記登録者の顔画像として登録されるようにすることができる。
【００１８】
本発明の一側面の監視方法は、画像を撮像する撮像ステップと、前記画像より照合対象者の顔画像を構成する器官を抽出する器官抽出ステップと、前記器官抽出ステップの処理により抽出された前記器官に基づいて、顔画像としての信頼度を計算する信頼度計算ステップと、前記信頼度計算ステップの処理により計算された信頼度と、信頼度閾値とを比較し、前記顔画像の信頼度を判定する信頼度判定ステップと、前記信頼度判定ステップの処理での判定結果により、前記信頼度が前記信頼度閾値より大きい場合、前記器官抽出ステップの処理により抽出された器官より照合対象者の顔画像を出力する出力ステップと、前記出力ステップの処理により前記照合対象者の顔画像が出力できない状態が所定期間以上継続した場合、前記信頼度閾値が、下限値よりも小さくないとき、前記信頼度閾値を低減させるように設定する設定ステップと、前記出力ステップの処理により前記照合対象者の顔画像が出力できない状態が所定期間以上継続した場合、前記信頼度閾値が、下限値よりも小さいとき、前記撮像ステップの処理で異常が発生したことを通知する通知手段とを含む。
【００１９】
本発明の一側面のプログラムは、画像を撮像する撮像ステップと、前記画像より照合対象者の顔画像を構成する器官を抽出する器官抽出ステップと、前記器官抽出ステップの処理により抽出された前記器官に基づいて、顔画像としての信頼度を計算する信頼度計算ステップと、前記信頼度計算ステップの処理により計算された信頼度と、信頼度閾値とを比較し、前記顔画像の信頼度を判定する信頼度判定ステップと、前記信頼度判定ステップの処理での判定結果により、前記信頼度が前記信頼度閾値より大きい場合、前記器官抽出ステップの処理により抽出された器官より照合対象者の顔画像を出力する出力ステップと、前記出力ステップの処理により前記照合対象者の顔画像が出力できない状態が所定期間以上継続した場合、前記信頼度閾値が、下限値よりも小さくないとき、前記信頼度閾値を低減させるように設定する設定ステップと、前記出力ステップの処理により前記照合対象者の顔画像が出力できない状態が所定期間以上継続した場合、前記信頼度閾値が、前記下限値よりも小さいとき、前記撮像ステップの処理で異常が発生したことを通知する通知手段とを含む処理をコンピュータに実行させる。
【００２０】
本発明の一側面の監視装置および方法、並びにプログラムにおいては、画像が撮像され、前記画像より照合対象者の顔画像を構成する器官が抽出され、抽出された前記器官に基づいて、顔画像としての信頼度が計算され、計算された信頼度と、信頼度閾値とが比較され、信頼度が判定され、その判定結果により、前記顔画像の信頼度が前記信頼度閾値より大きい場合、抽出された器官より照合対象者の顔画像が出力され、前記照合対象者の顔画像が出力できない状態が所定期間以上継続した場合、前記信頼度閾値が、下限値よりも小さくないとき、前記信頼度閾値が低減されるように設定され、前記照合対象者の顔画像が出力できない状態が所定期間以上継続した場合、前記信頼度閾値が、前記下限値よりも小さいとき、撮像に異常が発生したことが通知される。
【００２１】
本発明の一側面の監視装置における、画像を撮像する撮像手段とは、例えば、カメラであり、前記画像より照合対象者の顔画像を構成する器官を抽出する器官抽出手段とは、例えば、器官抽出部であり、前記器官抽出手段により抽出された前記器官に基づいて、顔画像としての信頼度を計算する信頼度計算手段とは、例えば、信頼度計算部であり、前記信頼度計算手段により計算された信頼度と、信頼度閾値とを比較し、前記顔画像の信頼度を判定する信頼度判定手段とは、例えば、信頼度判定部であり、前記信頼度判定手段の判定結果により、前記信頼度が前記信頼度閾値より大きい場合、前記器官抽出手段により抽出された器官より照合対象者の顔画像を出力する出力手段とは、例えば、顔画像出力部であり、前記出力手段により前記照合対象者の顔画像が出力できない状態が所定期間以上継続した場合、前記所定の設定値が、所定の設定値の閾値よりも小さくないとき、前記信頼度閾値を低減させるように設定する設定手段とは、例えば、信頼度閾値管理部であり、前記出力手段により前記照合対象者の顔画像が出力できない状態が所定期間以上継続した場合、前記信頼度閾値が、前記下限値よりも小さいとき、前記撮像手段に異常が発生したことを通知する通知手段とは、例えば、悪戯検知部である。
【００２２】
すなわち、顔画像出力部により照合対象者の顔画像が出力できない状態が所定期間以上継続した場合、信頼度閾値が、下限値よりも小さくないとき、信頼度閾値管理部は、信頼度閾値を低減させるように信頼度閾値設定部に設定する。これにより、信頼度判定部は、例えば、横を向いた顔画像などの照合には多少不向きな顔画像、すなわち、信頼度が比較的低い状態で器官抽出部より抽出された器官に基づいた顔画像でも信頼度閾値よりも大きいと判定することになるので、照合に多少不向きな照合対象者の顔画像でも、顔画像として出力し易くなる。
【００２３】
しかしながら、このようにして信頼度閾値を低下させても顔画像が出力できない状態が所定期間続くような場合、すなわち、所定期間以上照合対象者の顔画像が出力できない状態となった場合、カメラそのものの異常ではなく、悪戯などにより適正な画像が撮像できない状態となっている可能性が高いものとみなされるので、悪戯検知部が、カメラに異常が発生した（カメラに悪戯がなされている可能性がある）ことが通知する。
【００２４】
結果として、悪戯行為により顔画像による照合ができないような状態を早期に発見することが可能となる。
【発明の効果】
【００２５】
本発明によれば、悪戯行為により顔画像による照合ができないような状態を早期に発見することが可能となる。
【発明を実施するための最良の形態】
【００２６】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２７】
すなわち、本発明の一側面の監視装置は、画像を撮像する撮像手段（例えば、図９のカメラ３８）と、前記画像より照合対象者の顔画像を構成する器官を抽出する器官抽出手段（例えば、図９の器官抽出部２１１）と、前記器官抽出手段により抽出された前記器官に基づいて、顔画像としての信頼度を計算する信頼度計算手段（例えば、図９の信頼度計算部２１２）と、前記信頼度計算手段により計算された信頼度と、信頼度閾値とを比較し、前記顔画像の信頼度を判定する信頼度判定手段（例えば、図９の信頼度判定部２１３）と、前記信頼度判定手段の判定結果により、前記信頼度が前記信頼度閾値より大きい場合、前記器官抽出手段により抽出された器官より照合対象者の顔画像を出力する出力手段（例えば、図９の顔画像出力部２１５）と、前記出力手段により前記照合対象者の顔画像が出力できない状態が所定期間以上継続した場合、前記信頼度閾値が、下限値よりも小さくないとき、前記信頼度閾値を低減させるように設定する設定手段（例えば、図１１の信頼度閾値管理部２４５）と、前記出力手段により前記照合対象者の顔画像が出力できない状態が所定期間以上継続した場合、前記信頼度閾値が、前記下限値よりも小さいとき、前記撮像手段に異常が発生したことを通知する通知手段（例えば、図９の悪戯検知部２２８）とを含む。
【００２８】
前記画像が撮像された遊技台の稼働状況を取得する取得手段（例えば、図１１の遊技台情報受信部２４３）をさらに含ませるようにすることができ、前記設定手段には、前記画像が撮像された遊技台の稼働状況が稼働中である場合、前記出力手段により前記照合対象者の顔画像が出力できない状態が所定期間以上継続し、前記信頼度閾値が、下限値よりも小さくないとき、前記所定の設定値を低減させるように設定させるようにすることができ、前記通知手段（例えば、図９の悪戯検知部２２８）には、前記画像が撮像された遊技台の稼働状況が稼働中である場合、前記取得手段により所定期間以上前記照合対象者の顔画像が取得できない状態となり、前記信頼度閾値が、下限値よりも小さいとき、前記撮像手段に異常が発生したことを通知させるようにすることができる。
【００２９】
前記設定手段（例えば、図１１の信頼度閾値管理部２４５）には、前記画像が撮像された遊技台の稼働状況が稼働中ではない場合、前記出力手段により前記照合対象者の顔画像が出力できない状態が所定期間以上継続し、前記信頼度閾値が、下限値よりも小さいとき、前記信頼度閾値を標準値に戻すように設定させるようにすることができる。
【００３０】
前記設定手段（例えば、図１１の信頼度閾値管理部２４５）には、前記出力手段により前記照合対象者の顔画像が出力できる状態の場合、前記信頼度閾値が、前記下限値よりも小さいとき、前記信頼度閾値を標準値に戻すように設定させることができる。
【００３１】
予め登録された登録者の顔画像を蓄積する蓄積手段（例えば、図１０の生体情報DB２２）と、前記取得手段により取得された照合対象者の顔画像と、前記蓄積手段に蓄積された登録者の顔画像との類似度を計算し、照合する照合手段（例えば、図１０の類似度計算部２３２）と、前記照合手段の照合結果である類似度と類似度閾値との比較により、前記照合対象者の顔画像が登録者の顔画像であるか否かを判定する類似度判定手段（例えば、図１０の類似度判定部２３３）と、前記類似度判定手段により前記照合対象者が前記登録者であると判定された場合、前記照合対象者が前記登録者であることを発報する発報手段（例えば、図１０の通信部２２４）とをさらに含ませるようにすることができる。
【００３２】
前記照合対象者の顔画像より特徴量を抽出する特徴量抽出手段（例えば、図１０の特徴量抽出部２３１）とをさらに含ませるようにすることができ、前記照合手段（例えば、図１０の類似度計算部２３２）は、前記取得手段により取得された照合対象者の顔画像と、前記蓄積手段に蓄積された登録者の顔画像との特徴量を用いて類似度を計算し、前記取得手段により取得された照合対象者の顔画像と、前記蓄積手段に蓄積された登録者の顔画像とを照合させるようにすることができる。
【００３３】
前記類似度判定手段により前記照合対象者が前記登録者ではないと判定された場合、前記照合対象者の顔画像を未登録者として登録する未登録者登録手段（例えば、図１０の未登録遊技者データベース登録部２２３）とをさらに含ませるようにすることができる。
【００３４】
前記蓄積手段には、予め登録された登録者の顔画像をデータベースとして蓄積させ、前記データベースには、前記未登録者登録手段（例えば、図１０の未登録遊技者データベース登録部２２３）により所定回数以上登録された未登録者の顔画像が、前記登録者の顔画像として登録されるようにすることができる。
【００３５】
本発明の一側面の監視方法およびプログラムは、画像を撮像する撮像ステップ（例えば、図１５のステップＳ１）と、前記画像より照合対象者の顔画像を構成する器官を抽出する器官抽出ステップ（例えば、図１５のステップＳ２）と、前記器官抽出ステップの処理により抽出された前記器官に基づいて、顔画像としての信頼度を計算する信頼度計算ステップ（例えば、図１５のステップＳ４）と、前記信頼度計算ステップの処理により計算された信頼度と、信頼度閾値とを比較し、前記顔画像の信頼度を判定する信頼度判定ステップ（例えば、図１５のステップＳ５）と、前記信頼度判定ステップの処理での判定結果により、前記信頼度が前記信頼度閾値より大きい場合、前記器官抽出ステップの処理により抽出された器官より照合対象者の顔画像を出力する出力ステップ（例えば、図１５のステップＳ６）と、前記出力ステップの処理により前記照合対象者の顔画像が出力できない状態が所定期間以上継続した場合、前記信頼度閾値が、下限値よりも小さくないとき、前記信頼度閾値を低減させるように設定する設定ステップ（例えば、図１５のステップＳ１２）と、前記出力ステップの処理により前記照合対象者の顔画像が出力できない状態が所定期間以上継続した場合、前記信頼度閾値が、下限値よりも小さいとき、前記撮像ステップの処理で異常が発生したことを通知する通知手段（例えば、図１５のステップＳ２６）とを含む。
【００３６】
図１は、本発明に係る遊技店の監視システムの一実施の形態の構成を示す図である。
【００３７】
遊技店１−１乃至１−ｎは、いわゆるパチンコ店、パチスロ店、または、カジノ店である。また、これらの遊技店１−１乃至１−ｎは、系列店舗または生体情報管理センタや第３者遊技店管理センタの加盟店であって、複数の店舗を統括的に管理する必要のある店舗である。各遊技店１−１乃至１−ｎは、生体情報管理バス６および第３者遊技店管理バス７により接続されており、それらのバスおよびインターネット等に代表される公衆通信回線網８，９を介して、相互にそれぞれ生体情報、および第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００３８】
生体情報管理バス６は、主に各遊技店１の生体情報認識装置２１により管理される生体情報を流通させるための伝送路として機能する。また、第３者遊技店管理バス７は、主に各遊技店１の媒体貸出管理装置２７により管理される媒体貸出管理情報を流通させるための伝送路として機能する。
【００３９】
生体情報管理センタ２は、生体情報管理センタを管理運営する事業者により使用されるサーバであり、生体情報管理データベース（以降、DBとも称するものとする）３で管理されている登録遊技者DB２６２（図１２）を各遊技店１により生成される未登録遊技者DB２６１（図１２）に基づいて更新すると供に、更新した最新の登録遊技者DB２６２を各遊技店１の生体情報認識装置２１に対して配信する。
【００４０】
第３者遊技店管理センタ４は、第３者遊技店管理センタを管理運営する事業者により使用されるサーバであり、第３者遊技店管理データベース（DB）５で管理されている媒体貸出管理情報からなるDBを各遊技店１より供給されてくる情報に基づいて更新すると供に、更新した最新の媒体貸出管理情報を各遊技店１の媒体貸出管理装置２７に対して配信する。
【００４１】
生体情報認識装置２１は、カメラ３８−１乃至３８−ｍ、入口カメラ４０−１乃至４０−ｐ、および店内カメラ４１−１乃至４１−ｑにより撮像された画像より画像処理ユニット３９−１乃至３９−（ｍ＋ｐ＋ｑ）により抽出されて、生体情報バス３１を介して供給されてくる顔画像の情報に基づいて、生体情報データベース２２に予め登録されている顔画像と照合し、一致する場合、登録遊技者の来店を携帯端末２０に通知したり、CRT（Cathode Ray Tube）またはLCD（Liquid Crystal Display）などからなる表示部２３に表示する。
【００４２】
また、生体情報認識装置２１は、カメラ３８−１乃至３８−ｍ、入口カメラ４０−１乃至４０−ｐ、および店内カメラ４１−１乃至４１−ｑにより撮像された画像に基づいて、画像処理ユニット３９−１乃至３９−（ｍ＋ｐ＋ｑ）より供給されてくる顔画像取得状況の情報を取得し、顔画像取得状況の情報により画像処理ユニット３９における顔画像の信頼度閾値の変更を指示する。
【００４３】
さらに、生体情報認識装置２１は、カメラ３８−１乃至３８−ｍ、入口カメラ４０−１乃至４０−ｐ、および店内カメラ４１−１乃至４１−ｑにより撮像された画像を、生体情報データベース２２に予め登録されている顔画像と照合し、一致しない場合、生体情報管理データベース３にアクセスし、未登録者として未登録遊技者DB２６１に登録する。
【００４４】
遊技店管理装置２４は、いわゆるホールコンピュータと呼ばれるものであり、遊技店管理情報バス３０を介して遊技台３６−１乃至３６−ｍの動作を監視している。また、遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をCRTやLCDなどからなる表示部２５に表示する。さらに、遊技店管理装置２４は、計数機３５、遊技台３６−１乃至３６−ｍ、および遊技台周辺端末３７−１乃至３７−ｍのそれぞれより供給されてくる情報を、それぞれを識別する識別情報（例えば、遊技台番号）とを対応付けて遊技台管理データベース２６により管理する。また、遊技店管理装置２４は、生体情報認識装置２１より遊技台３６の稼働状況の情報が要求されてきた場合、遊技台管理データベース２６にアクセスして、該当する遊技台３６の今現在の稼働状況の情報を読み出して、生体情報認識装置２１に送信する。
【００４５】
媒体貸出管理装置２７は、精算販売機３３、および貸出機３４からの情報に基づいて、貸し出される遊技媒体の媒体貸出管理情報を媒体貸出管理データベース２９を用いて管理すると供に、媒体貸出管理データベース２９に登録されている媒体貸出管理情報を更新する際、その更新情報を、第３者遊技店管理バス７および公衆通信回線網９を介して第３者遊技店管理センタ４に送る。さらに、媒体貸出管理装置２７は、第３者遊技店管理バス７および公衆通信回線網９を介して第３者遊技店管理センタ４により供給されてくる媒体貸出管理情報を取得し、媒体貸出管理データベース２９に蓄積させる。
【００４６】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理情報データベース２９に登録する。
【００４７】
精算販売機３３は、貸球を借りるための度数をつけてプリペイドカードを販売する。このとき、精算販売機３３は、販売したプリペイドカードの度数と払いうけた金額とを媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００４８】
計数機３５は、遊技者が遊技台３６により遊技することにより獲得した遊技媒体の数を、計数し、計数結果を磁気カードやレシートなどとして出力する。
【００４９】
遊技台３６−１乃至３６−ｍは、遊技者により所定の操作がなされることにより、遊技を実行し、いわゆる小当たりや大当たりに応じて、遊技球、または、メダルを払い出す。
【００５０】
遊技台周辺端末３７−１乃至３７−ｍは、各遊技台３６−１乃至３６−ｍに対応して設けられている、いわゆる台間機であり、台間球貸機（原理的には、貸出機３４と同様のもの）などが設けられている。また、遊技台周辺端末３７は、遊技台３６を遊技する遊技者の顔画像などの生体情報を取得し、遊技台識別情報（遊技台番号）と共に生体情報認識装置２１に送信する。尚、図１においては、生体情報を取得する機能として、遊技者の顔画像を取得するカメラ３８−１乃至３８−ｍが設けられている例が示されている。
【００５１】
カメラ３８−１乃至３８−ｍは、例えば、図２で示されるように、各遊技台３６−１乃至３６−４のそれぞれの上部に設けられた台表示ランプ６１−１乃至６１−４の下部に図３で示されるように、読取範囲δ内に遊技者が撮像できるように設け、顔画像を撮像するようにしてもよく、このようにすることにより、各カメラIDは、同時に遊技台IDとして使用することが可能となる。
【００５２】
また、カメラ３８−１乃至３８−ｍは、例えば、図４で示されるように、遊技台周辺端末３７−１乃至３７−４に凸部７１−１乃至７１−４を設け、図５で示されるように読取範囲θ内に遊技者の顔画像が撮像できるように設けるようにしてもよい。
【００５３】
さらに、カメラ３８−１乃至３８−ｍは、例えば、図６で示されるように、遊技台３６の中央部（遊技台３６の盤面上）に設けるようにして、撮像するようにしてもよい。すなわち、図６の設置部８１にカメラ３８が設置されることにより、図７で示されるように、読取範囲φ内に遊技者を撮像する。
【００５４】
入口カメラ４０−１乃至４０−ｐおよび店内カメラ４１−１乃至４１−ｑは、遊技店１の店内における出入口および所定の場所に設置され、撮像した画像をそれぞれ画像処理ユニット３９−（ｍ＋１）乃至３９−（ｍ＋ｐ＋ｑ）に供給する。
【００５５】
入口カメラ４０−１乃至４０−ｐおよび店内カメラ４１−１乃至４１−ｑは、例えば、図８で示されるように設定される。図８は、遊技店１内の入口カメラ４０−１乃至４０−ｐおよび店内カメラ４１−１乃至４１−ｑの設置例を示している。
【００５６】
すなわち、図８においては、出入口１１２−１乃至１１２−３が設けられており、入口カメラ４０−１乃至４０−３は、それぞれの出入口１１２より入店してくる遊技者を撮像する。また、店内カメラ４１−１乃至４１−１０は、島設備１１１−１乃至１１１−５のそれぞれ両面をそれぞれ一列に渡って撮像できる位置に設定されている。島設備１１１は、両面に遊技台３６が設置されており、すなわち、図中の島設備１１１を上下方向に挟むように設置されている。カメラ３８、入口カメラ４０および店内カメラ４１は、いずれにおいてもパンチルトズーム機能を備えているため、図８で示されるように、店内カメラ４１−１乃至４１−１０が配置されることにより、遊技台３６で遊技する全遊技者が、店内カメラ４１−１乃至４１−１０のいずれかで撮像できる。
【００５７】
さらに、店内カメラ４１−ａは、貸出機３４の前に設けられており、店内カメラ４１−ｂは、精算販売機３３の前に設けられており、店内カメラ４１−ｃは、計数機３５の前に設けられており、それぞれ、貸出機３４、精算販売機３３、および計数機３５を利用する遊技者を撮像することができる。
【００５８】
すなわち、図８で示されるように、遊技店１においては、来店する遊技者、遊技台３６で遊技する遊技者、並びに、貸出機３４、精算販売機３３、および計数機３５を利用する遊技者といった、遊技店１において遊技者が取るであろうことが想定される行動のほぼ全てを監視できるように、カメラ３８、入口カメラ４０、および店内カメラ４１が設置されている。
【００５９】
次に、図９を参照して、画像処理ユニット３９の構成例について説明する。
【００６０】
画像取得部２０１は、カメラ３８（または、入口カメラ４０もしくは店内カメラ４１）により撮像された画像を取得し、顔画像抽出部２０２に供給する。顔画像抽出部２０２は、画像取得部２０１より供給されてきた画像内に、顔を構成する部位（器官）の配置などのパターンにより顔画像からなる矩形画像を抽出できるか否かを判定し、抽出できる場合、抽出した顔画像を送信部２０３に供給する。また、顔画像抽出部２０２は、顔画像として抽出できるか否かの判定結果を顔画像取得状況判定部２０４に供給する。送信部２０３は、顔画像を生体情報認識装置２１に送信する。
【００６１】
顔画像抽出部２０２の器官抽出部２１１は、画像内に、顔を構成する器官（例えば、目、耳、鼻、口、額、顎、輪郭など）を抽出し、抽出した位置情報を含めて、顔画像取得状況判定部２０４、信頼度計算部２１２および顔画像出力部２１５に供給する。信頼度計算部２１２は、器官抽出部２１１より供給されてくる器官、および、その器官の位置の情報に基づいて、顔画像毎の信頼度を計算し、計算した信頼度を信頼度判定部２１３に供給する。ここで言う顔画像の信頼度とは、器官のうち、例えば、目、耳、鼻、口、額、顎、輪郭などの有無により、各器官ごとに点数を設定した合計となる数値や、左右の目や、耳などと、鼻または口との距離の比率や、また、額および鼻の距離と、顎および鼻の距離の比率などに基づいて求められる数値などであり、総じて顔画像毎の照合処理に適する度合いを示すものである。したがって、信頼度が高い顔画像ほど、照合に適した顔画像であり、より適切な顔画像による照合処理が可能であると言える。
【００６２】
信頼度判定部２１３は、信頼度閾値設定部２１４に記憶されている信頼度閾値を読み出し、信頼度計算部２１２より供給されてくる顔画像毎の信頼度と比較し、比較に基づいて顔画像が抽出されたものとして出力するか否かを判定し、判定結果を顔画像出力部２１５および顔画像取得状況判定部２０４に供給する。このとき、信頼度判定部２１３は、信頼度閾値の情報も併せて顔画像取得状況判定部２０４に供給する。
【００６３】
顔画像出力部２１５は、信頼度判定部２１３より供給されてくる判定結果に基づいて、器官抽出部２１１より供給されてくる器官と、各器官の位置情報に基づいて、顔画像が抽出されたものとしてみなされた顔画像からなる矩形画像を生成し送信部２０３に供給する。
【００６４】
顔画像取得状況判定部２０４は、顔画像が抽出されたか否か、すなわち、上述する信頼度が信頼度閾値よりも高いと判定されたか否かを示す判定結果に基づいて、顔画像の取得の有無を判定して、判定結果を生体情報認識装置２１に供給する。このとき、顔画像取得状況判定部２０４は、顔画像の取得の有無の状況と共に、そのときの信頼度閾値の情報も併せて生体情報認識装置２１に送信する。
【００６５】
次に、図１０を参照して、生体情報認識装置２１の構成例について説明する。
【００６６】
顔画像取得部２２１は、画像処理ユニット３９より供給される顔画像を取得し、照合部２２２に供給する。照合部２２２は、顔画像取得部２２１により取得された顔画像と、生体情報DB２２に予め登録されている登録遊技者の顔画像とを照合し、類似度の高い候補となる顔画像があれば、第３候補までの顔画像を照合結果として表示部２３に表示させる。また、照合部２２２は、類似度の高い候補となる顔画像が存在しない場合、供給されてきた顔画像を未登録遊技者データベース登録部２２３に供給する。
【００６７】
より詳細には、照合部２２２の特徴量抽出部２３１は、顔画像を識別するための特徴量を抽出して、顔画像と共に類似度計算部２３２に供給する。類似度計算部２３２は、生体情報DB２２に登録されている登録遊技者の顔画像の特徴量を抽出すると供に、特徴量抽出部２３１より供給されてくる特徴量とを用いて、生体情報DB２２に登録されている全ての登録遊技者の顔画像との類似度を求め、顔画像取得部２２１より供給されてきた顔画像、および、類似度が上位３位までの顔画像を類似度判定部２３３に供給する。より具体的には、類似度計算部２３２は、例えば、目と目の間隔、あごから額までの長さと、あごから鼻までの長さの比率などの各種の顔の特徴量に基づいて、それぞれの差分和、平均比率、または比率和などを類似度として求める。
【００６８】
類似度判定部２３３は、類似度計算部２３２より供給されてくる類似度が上位３位となる顔画像のそれぞれの類似度のうち、１位となる顔画像との類似度と、所定の閾値とを比較し、比較結果に基づいて、１位となる登録顔画像が、顔画像取得部２２１より供給されてきた顔画像に対して類似している場合（類似度が高い程類似していることを示す類似度の場合、所定の閾値よりも高いとき、また、類似度が低い程類似していることを示す類似度の場合、所定の閾値よりも低いとき）、上位３位となる顔画像と類似度の情報を表示部２３に供給して、表示させると供に、通信部２２４に供給する。また、類似度判定部２３３は、１位となる顔画像との類似度と、所定の閾値とを比較し、比較結果に基づいて、１位となる登録顔画像が、顔画像取得部２２１より供給されてきた顔画像に対して類似していない場合、顔画像取得部２２１より供給されてきた顔画像を未登録遊技者データベース登録部２２３に供給する。
【００６９】
未登録遊技者データベース登録部２２３は、照合部２２２より未登録であるとみなされて供給されてきた、顔画像を生体情報管理データベース３の未登録遊技者DB２６１に登録する。
【００７０】
操作部２２５は、ボタン、マウス、または、キーボードなどから構成され、上述した類似度が上位３位となる、表示部２３に表示された顔画像のいずれかが選択されるとき操作され、操作結果を通信部２２４に供給する。通信部２２４は、モデムなどから構成され、操作部２２５からの操作信号に基づいて、選択された顔画像を携帯端末２０に配信する。
【００７１】
尚、ここでは、類似度は、例えば、比率和で示されるような登録遊技者として登録されている顔画像に近いほど高い値を示すものであるとし、類似度が所定の閾値よりも高い値であるとき、その類似度に対応する登録遊技者の顔画像であるものとして判定する例について説明する。しかしながら、例えば、類似度が撮像された顔画像と登録遊技者として登録されている顔画像とのそれぞれの特徴量における差分和として表現されている場合、類似度判定部２３３は、類似度が閾値よりも小さければ、撮像された顔画像が登録遊技者の顔画像であるとみなすことになり、または、平均比率などの場合、０乃至１の範囲で所定の値以上であって、１に近い値であれば、同一の人物であるとみなすことができる。
【００７２】
データベース管理部２２６は、生体情報管理センタ２より新たな登録遊技者データベース２６２（図１２）が配信されてくると、新たな登録遊技者データベース２６２に基づいて、生体情報DB２２を更新する。
【００７３】
検索部２２７は、操作部２２５が操作されることにより供給されてくる検索条件に基づいて生体情報DB２２に蓄積されている登録遊技者の情報を検索して抽出し、表示部２３に表示する。
【００７４】
悪戯検知部２２８は、画像処理ユニット３９より供給されてくる顔画像の取得状況の情報と、信頼度閾値の情報に基づいて、信頼度閾値を管理し、信頼度閾値の変更を画像処理ユニット３９に対して指示する。また、悪戯検知部２２８は、画像処理ユニット３９より供給されてくる顔画像の取得状況の情報と、信頼度閾値の情報に基づいて、カメラ３８（または、入口カメラ４０若しくは店内カメラ４１）で、悪戯がなされているか否かを判定し、悪戯を検知した場合、カメラ３８（または、入口カメラ４０若しくは店内カメラ４１）において、悪戯の発生を示す情報を発報部２２９に通知する。発報部２２９は、カメラ３８（または、入口カメラ４０若しくは店内カメラ４１）において、悪戯が発生していることが通知された場合、カメラ３８（または、入口カメラ４０若しくは店内カメラ４１）において、悪戯が発生していることを示す画面を表示部２３に表示させると共に、同様の情報を遊技店１内の係員により所持されている携帯端末２０に送信する。
【００７５】
次に、図１１を参照して、悪戯検知部２２８の詳細な構成について説明する。
【００７６】
顔画像取得状況受信部２４１は、画像処理ユニット３９より供給されてくる顔検出状況の情報を受信し、遊技台情報要求部２４２に供給する。遊技台情報要求部２４２は、顔検出状況の情報に対応する画像を撮像したカメラIDにより特定される遊技台３６の稼働情報を遊技店管理装置２４に要求する。
【００７７】
遊技台情報受信部２４３は、遊技台情報要求部２４２により要求された遊技台３６の稼働情報を受信し悪戯判定部２４４に供給する。
【００７８】
悪戯判定部２４４は、顔画像取得状況受信部２４１より供給されてくる顔検出状況の情報、信頼度閾値、および遊技台情報受信部２４３より供給されてくる遊技台３６の稼動情報に基づいて、該当するカメラ３８（または、入口カメラ４０若しくは店内カメラ４１）への悪戯の有無を判定し、悪戯を検知した場合、発報部２２９に対して該当するカメラ３８（または、入口カメラ４０若しくは店内カメラ４１）において悪戯が検知されたことを通知する。また、悪戯判定部２４４は、顔画像取得状況受信部２４１より供給されてくる顔検出状況の情報、信頼度閾値、および遊技台３６の稼動情報に基づいて、信頼度閾値の変更の要否を判定し、信頼度閾値の変更が必要である場合、信頼度閾値管理部２４５に対して信頼度閾値の変更を指示する。
【００７９】
信頼度閾値管理部２４５は、悪戯判定部２４４からの指示に基づいて、信頼度閾値の変更が指示された場合、カメラ３８（または、入口カメラ４０若しくは店内カメラ４１）に対応する画像処理ユニット３９に対して信頼度閾値を変更させる。
【００８０】
次に、図１２を参照して、生体情報管理センタ２の構成例について説明する。
【００８１】
生体情報管理センタ２は、DB配信部２５１、DB更新部２５２、およびDB更新判定部２５３から構成されており、生体情報管理DB３に格納されている登録遊技者DB２６２を、未登録遊技者DB２６１に基づいて、更新する。より具体的には、DB更新判定部２５３は、時刻情報を発生するRTC（Real Time Clock）２５３ａを内蔵しており、その内蔵されているRTC２５３ａに基づいて、所定時間が経過すると、生体情報管理DB３にアクセスし、未登録遊技者DB２６１に新たな未登録遊技者が登録されたか否かを判定する。
【００８２】
DB更新判定部２５３は、未登録遊技者DB２６１に新たに未登録者が登録されていた場合、その旨をDB更新部２５２に通知する。DB更新部２５２は、未登録遊技者DB２６１にアクセスし、登録されている未登録遊技者のうち、所定回数以上登録されている未登録遊技者が存在するか否かを判定し、所定回数以上未登録遊技者として登録されている未登録遊技者が存在する場合、登録遊技者DB２６２を読み出して、所定回数以上登録されている未登録遊技者を登録遊技者DB２６２に登録して、更新する。さらに、DB更新部２５２は、登録遊技者DB２６２を更新すると、更新したことをDB配信部２５１に通知する。
【００８３】
DB配信部２５１は、DB更新部２５２より登録遊技者DB２６２が更新されたことを通知されると、生体情報管理DB３にアクセスし、登録遊技者DB２６２を読み出して、各遊技店１の生体情報認識装置２１に配信する。
【００８４】
次に、図１３を参照して、携帯端末２０の構成例について説明する。
【００８５】
通信部２７１は、モデムなどで構成されており、遊技店１内の無線通信網を介して生体情報認識装置２１との間でデータを授受する。また、通信部２７１は、生体情報認識装置２１より配信されてくる、画像処理ユニット３９より供給された顔画像と類似する顔画像の遊技者が来店したことを示す情報を取得し、画像処理部２７２に供給する。
【００８６】
画像処理部２７２は、通信部２７１より供給されてくる画像処理ユニット３９より供給された顔画像と類似する顔画像の遊技者が来店したことを示す情報に基づいて、LCDなどにより構成される表示部２７３に表示する画像を生成すると供に、表示部２７３に表示させる。
【００８７】
次に、図１４を参照して、遊技台管理装置２４の構成について説明する。
【００８８】
遊技台情報取得部２９１は、生体情報認識装置２１の悪戯検知部２２８より遊技台３６を特定する情報と共に、遊技台３６の稼働情報が要求された場合、遊技台管理データベース２６にアクセスし、該当する遊技台３６の稼働状況を示す情報を読み出し、遊技台情報送信部２９２に供給する。遊技台情報送信部２９２は、遊技台情報取得部２９１より供給されてきた稼働状況を示す情報を生体情報認識装置２１に送信する。
【００８９】
次に、図１５のフローチャートを参照して、後述する登録遊技者来店監視処理に使用される顔画像を抽出する顔画像抽出処理について説明する。尚、ここでは、画像が、カメラ３８により撮像される場合について説明を進めるものとするが、その他のカメラ、すなわち、入口カメラ４０、および店内カメラ４１であってもよいことは言うまでもない。
【００９０】
ステップＳ１において、カメラ３８は、画像を撮像し、画像処理ユニット３９に供給する。
【００９１】
ステップＳ２において、画像処理ユニット３９の画像取得部２０１は、カメラ３８より供給されてくる画像を取得し、顔画像抽出部２０２に供給する。顔画像抽出部２０２の器官抽出部２１１は、供給されてきた画像より顔画像を構成する器官を抽出し、抽出した器官と、各器官の画像上の位置情報を信頼度計算部２１２、顔画像出力部２１５、および顔画像取得状況判定部２０４に供給する。
【００９２】
ステップＳ３において、信頼度計算部２１２は、器官抽出部２１１により器官が抽出されたか否かを判定する。ステップＳ３において、器官が抽出されたと判定された場合、ステップＳ４において、信頼度計算部２１２は、抽出されてきた器官と、その位置情報に基づいて、その器官により構成される顔画像が照合処理に対して、どの程度適しているかを示す信頼度を計算し、信頼度判定部２１３に供給する。
【００９３】
ステップＳ５において、信頼度判定部２１３は、供給されてきた信頼度の情報を取得すると共に、信頼度閾値設定部２１４に記憶されている信頼度閾値の情報を読み出し、相互に比較して、計算された信頼度が信頼度閾値よりも大きいか否かを判定する。ステップＳ５において、例えば、信頼度が信頼度閾値よりも大きいと判定された場合、ステップＳ６において、信頼度判定部２１３は、信頼度が信頼度閾値よりも大きく、抽出された器官により再現される顔画像は照合に適したものであることを示す判定結果であることを顔画像取得状況判定部２０４、および顔画像出力部２１５に供給する。顔画像出力部２１５は、器官抽出部２１１より供給されてきた器官に基づいて生成される顔画像からなる矩形画像を構成し、送信部２０３に出力する。送信部２０３は、矩形画像からなる顔画像を生体情報認識装置２１に送信する。この際、送信部２０３は、カメラ３８（または、入口カメラ４０、若しくは店内カメラ４１）のそれぞれを識別するカメラIDや、送信時刻の情報などの情報を顔画像に付加して生体情報認識装置２１に送信する。このとき、顔画像取得状況判定部２０４は、顔画像が取得できていることを悪戯検知部２２８に送信する。
【００９４】
一方、ステップＳ３において、器官が抽出できないと判定された場合、または、ステップＳ５において、信頼度が所定の信頼度閾値よりも大きくなく、照合処理に適した顔画像が抽出できないと判定された場合、ステップＳ７において、顔画像取得状況判定部２０４は、所定期間以上継続して照合に適した顔画像が抽出できていない状態が継続しているか否かを判定する。
【００９５】
ステップＳ７において、所定期間以上継続して照合に適した顔画像が抽出できないと判定された場合、ステップＳ８において、顔画像取得状況判定部２０４は、今現在の信頼度閾値の情報と共に、所定期間以上照合に適した顔画像が抽出できない状態が継続していることを生体情報認識装置２１に送信する。この際、顔画像取得状況判定部２０４は、カメラ３８（または、入口カメラ４０、若しくは店内カメラ４１）のそれぞれを識別するカメラIDや、送信時刻の情報などの情報を付加して生体情報認識装置２１に送信する。
【００９６】
ステップＳ２１において、顔画像取得状況受信部２４１は、画像処理ユニット３９より顔画像取得状況の情報が送信されてきたか否かを判定する。ステップＳ２１において、例えば、ステップＳ８の処理により所定期間継続して照合に適した顔画像が抽出されないことを示す顔画像取得状況の情報が送信されてきた場合、ステップＳ２２において、顔画像取得状況受信部２４１は、送信されてきた顔画像取得状況の情報を取得すると共に、遊技台情報要求部２４２に供給する。遊技台情報要求部２４２は、顔画像取得状況の情報に付されているカメラIDに基づいて、該当する遊技台番号を特定し、該当する遊技台番号の遊技台３６における稼働状況の情報を遊技店管理装置２４に要求する。
【００９７】
ステップＳ４１において、遊技台情報取得部２９１は、遊技台３６の稼働状況の情報が要求されたか否かを判定し、要求されるまで、同様の処理を繰り返す。
【００９８】
ステップＳ４１において、例えば、ステップＳ２２の処理により、遊技台３６の稼働状況を示す情報が要求された場合、ステップＳ４２において、遊技台情報取得部２９１は、遊技台管理データベース２６にアクセスし、該当する遊技台番号の遊技台３６の稼働状況を示す情報を読み出し、遊技台情報送信部２９２に供給する。
【００９９】
遊技台管理データベース２６は、例えば、図１６で示されるようなものである。遊技台管理データベース２６は、遊技台番号に対応付けて遊技台稼働状況の情報が登録されており、例えば、図１６においては、遊技台番号１０１，１０６の遊技台３６は、「稼働中」と登録され、稼動中であることが示されており、遊技台番号１０２乃至１０５の遊技台３６は、「空台」と登録されており、稼働しておらず、遊技者が遊技していないことが示されている。
【０１００】
ステップＳ４３において、遊技台情報送信部２９２は、遊技台情報取得部２９１より供給されてきた該当する遊技台３６の稼働状況を示す情報を生体情報認識装置２１に送信する。すなわち、遊技台管理データベース２６が、図１６の場合、遊技台番号が１０１または１０６の場合、稼動中であることを示す稼働状況の情報が送信され、遊技台番号が１０２乃至１０５の場合、稼働していないことを示す稼働状況の情報が送信されることになる。
【０１０１】
ステップＳ２３において、遊技台情報受信部２４３は、遊技店管理装置２４より送信されてくる要求した該当する遊技台３６の稼働状況を示す情報を取得し、悪戯判定部２４４に供給する。
【０１０２】
ステップＳ２４において、悪戯判定部２４４は、遊技台情報受信部２４３より供給されてきた稼働状況を示す情報に基づいて、該当する遊技台３６が稼動中であるか否かを判定し、例えば、稼動中であったと判定された場合、処理は、ステップＳ２５に進む。
【０１０３】
ステップＳ２５において、悪戯判定部２４４は、顔画像取得状況受信部２４１より供給されてくる該当する遊技台３６に設けられたカメラ３８の画像を取得する画像処理ユニット３９より顔画像取得状況の情報と共に送信されてきた信頼度閾値が下限値より小さいか否かを判定する。ステップＳ２５において、例えば、信頼度閾値が下限値より小さくない、すなわち、標準値と下限値の間の値であった場合、ステップＳ２７において、悪戯判定部２４４は、信頼度閾値管理部２４５に対して、該当する遊技台３６の画像処理ユニット３９に対して信頼度閾値を所定の値だけ低減させるように（小さくするように）指示する。これに応じて、信頼度閾値管理部２４５は、該当する画像処理ユニット３９に対して信頼度閾値を所定の値だけ低減させ、処理は、ステップＳ２１に戻る。
【０１０４】
ステップＳ９において、信頼度閾値設定部２１４は、生体情報認識装置２１の信頼度閾値管理部２４５により信頼度閾値を変更させる要求があったか否かを判定する。ステップＳ９において、例えば、ステップＳ２７の処理により、信頼度閾値を低減させられるような処理があった場合、ステップＳ１０において、信頼度閾値設定部２１４は、信頼度閾値管理部２４５により信頼度閾値を所定の値だけ低減するように設定され、処理は、ステップＳ１に戻る。
【０１０５】
すなわち、所定期間以上、カメラ３８で撮像した画像から顔画像が抽出できない状態が続いた場合、信頼度閾値が所定の値だけ低減されることにより、信頼度閾値が甘めに設定される事になるので、照合処理にそれ程適さない顔画像でも抽出し易い状態に設定される。
【０１０６】
一方、ステップＳ２５において、信頼度閾値が下限値より小さいと判定された場合、すなわち、直前の処理において、照合処理に適した顔画像が抽出できない状態がさらに継続し、ステップＳ２７，Ｓ１１の処理が繰り返されることにより信頼度閾値が、所定の値ずつ小さくされ続け、信頼度閾値としての下限値より小さい値に設定されていた場合、ステップＳ２６において、悪戯判定部２４４は、カメラ３８で撮像は可能であるが、顔画像が抽出できない程度の異常を発生させるように、何らかの悪戯がなされているものとみなし、発報部２２９に対して悪戯が発生したことを通知する。この通知に応じて、発報部２２９は、携帯端末２０に対して該当する遊技台３６のカメラ３８に何らかの悪戯がなされていることを示す情報を送信すると共に表示部２３にその旨を表示させ、処理は、ステップＳ２１に戻る。
【０１０７】
ステップＳ６１において、携帯端末２０の通信部２７１は、生体情報認識装置２１よりカメラ３８の悪戯による異常が発生したことを示す情報が通知されてきたか否かを判定し、通知されてくるまで、同様の処理を繰り返す。ステップＳ６１において、例えば、ステップＳ２６の処理により、該当する遊技台番号のカメラ３８の悪戯による異常が通知されてきた場合、ステップＳ６２において、その旨を画像処理部２７２に供給する。画像処理部２７２は、該当する遊技台番号の遊技台３６に設けられたカメラ３８に、悪戯による異常が発生していることを示す画面を生成し、表示部２７３に供給する。
【０１０８】
ステップＳ６３において、表示部２７３は、該当する遊技台番号の遊技台３６に設けられたカメラ３８に、悪戯による異常が発生していることを示す画面を表示する。
【０１０９】
すなわち、遊技台３６が稼動中であるにもかかわらず、所定期間以上顔画像が取得できない状態が継続すると、まず、信頼度閾値が順次低減されて、顔画像を徐々に抽出し易い状態にする。そして、さらに、所定期間以上顔画像が取得できない状態が継続したときには、カメラ３８により撮像される画像に異常が発生するように、カメラ３８が何らかの悪戯がなされているとみなし、表示部２３、および携帯端末２０に発報する。
【０１１０】
このため、従来、カメラ３８そのものに異常が無い限り、カメラ３８の異常が通知されてこなかったが、信頼度閾値を徐々に低減させ、顔画像を徐々に抽出し易くしても顔画像が抽出できなければ、カメラ３８により撮像される画像に何らかの異常が発生するように悪戯がなされている可能性が高いとみなすことが可能となり、カメラ３８に悪戯がなされても、早期に発見することが可能となる。
【０１１１】
ステップＳ２４において、稼動中ではないと判定された場合、ステップＳ２８において、悪戯判定部２４４は、顔画像取得状況受信部２４１より供給されてくる該当する遊技台３６に設けられたカメラ３８の画像を取得する画像処理ユニット３９より顔画像取得状況の情報と共に送信されてきた信頼度閾値が標準値であるか否か、すなわち、ステップＳ２７の処理により、低減されていないか否かを判定し、信頼度閾値が標準値ではない、すなわち、標準値より低い値になっている場合、ステップＳ２９において、信頼度閾値管理部２４５に対して、該当する遊技台３６の画像処理ユニット３９に対して信頼度閾値を標準値に戻すように指示する。これに応じて、信頼度閾値管理部２４５は、該当する画像処理ユニット３９に対して信頼度閾値を標準値に戻し、処理は、ステップＳ２１に戻る。
【０１１２】
この場合、ステップＳ１０において、信頼度閾値設定部２１４は、信頼度閾値管理部２４５により信頼度閾値が元の標準値に戻されるように変更されて設定され、処理は、ステップＳ１に戻る。
【０１１３】
また、ステップＳ２８において、信頼度閾値が標準値であった場合、処理は、そのまま、ステップＳ２１に戻る。
【０１１４】
この場合、ステップＳ９において、信頼度閾値を変更する指示が無いのでステップＳ１０の処理がスキップされて、処理は、ステップＳ１に戻る。
【０１１５】
すなわち、該当する遊技台３６が稼動中ではない場合、顔画像は抽出できない状態が継続することに問題はないので、信頼度閾値が低減されていれば、元の標準値に戻される。
【０１１６】
さらに、ステップＳ２１において、所定期間以上顔画像が検出できない場合、ステップＳ３０において、悪戯判定部２４４は、顔画像取得状況受信部２４１を制御して、顔画像が送信されてきたか、すなわち、顔画像が取得できているか否かを判定する。ステップＳ３０において、例えば、ステップＳ５の処理により、顔画像取得状況判定部２０４より送信されてくる情報に基づいて、顔画像が取得できていることを示す情報が取得されるので、顔画像が取得できているとみなされ、処理は、ステップＳ２８に進む。また、ステップＳ２８において、信頼度閾値が標準値でない場合、ステップＳ２９の処理により標準値に設定され、標準値であれば、ステップＳ２９の処理がスキップされる。すなわち、顔画像が取得できていると言うことは、信頼度閾値を低減させる必要がないので、信頼度閾値は、元の標準値に戻される。
【０１１７】
以上の処理によれば、遊技台３６が稼動中であるにもかかわらず、所定期間以上顔画像が取得できない状態が継続すると、信頼度閾値が徐々に低減されて、顔画像を抽出し易い状態にし、さらに、所定期間以上顔画像が取得できない状態が継続し、信頼度閾値が下限値より小さくなったときには、カメラ３８により撮像される画像に異常が発生するように、カメラ３８が何らかの悪戯がなされているとみなし、悪戯の発生が検知されたことが発報される。
【０１１８】
このような処理により、例えば、図１７の番号１で示されるように、照合に適した顔画像である正面の顔画像は、信頼度閾値が、例えば、標準値の１００であるとき、計算された信頼度が１００であったとすると、信頼度閾値が変更されても、されなくても顔画像が通知されることになる。
【０１１９】
また、例えば、番号２で示されるように横顔、斜め顔、または下向き顔などのような場合、すなわち、計算される信頼度が５０しか得られず、照合に最適ではないものの、照合に利用することは可能であるような場合、設定された信頼度閾値が従来のように変更されること無く１００のままであれば、顔画像は通知されることが無い（顔画像が抽出されることがない）が、本実施例のように設定信頼度を低減させ、例えば、５０に設定することで通知することが可能となる。
【０１２０】
さらに、例えば、番号３，４で示されるように、カメラ３８のレンズに悪戯がなされるなどして、部分的に顔画像が隠れているような場合、それぞれ計算される信頼度が、例えば、２０および１０となるような場合、これまでは、番号５，６で示されるような背景が真っ黒であるとか、映像信号がないといった状況とは異なり、画像が存在するため、異常であるとが通知されなかったが、本実施例の処理により、同様の状態が複数回数繰り替えされると、カメラ３８により撮像される画像に、何らかの悪戯により異常が発生していることを認識させることが可能となる。
【０１２１】
これにより、従来は、図中の点線の矢印で示されるように、番号１乃至４までの画像であれば、番号３，４などの顔画像が抽出できないような画像が供給され続けていても正常であると判定され、番号５，６などの明らかにカメラ３８の異常が発生しない限り異常が通知されてこなかった上、番号２のような画像の場合、多少でも信頼度が低下すると顔画像が抽出されないままであった。これに対して、図中の実線の矢印で示されるように、上述の処理により、番号３，４の画像においても異常が発生していることを検知することが可能になると共に、番号２で示されるような照合処理に最適ではないが、利用可能な場合であれば、顔画像を抽出することが可能となる。
【０１２２】
尚、図１７においては、最左列には取得される画像の種類が表示されており、上から正面顔、横顔／斜め顔／下向き顔、部分的に隠れている顔、部分的に隠れている顔、背景が真黒の画像、および映像が入ってこない状態が示されている。また、画像の種類の右側には、信頼度閾値が標準値（例えば、信頼度閾値＝１００）の場合と変更値（例えば、信頼度閾値＝５０）の場合における画像の種類毎の計算された信頼度の例が示されており、カッコなしの数値は信頼度が信頼度閾値より小さくなく、照合処理に用いられる顔画像として抽出されるときの信頼度であり、カッコありの数値は信頼度が信頼度閾値よりも小さく、照合処理に用いられる顔画像として抽出されることを示している。
【０１２３】
さらに、計算された信頼度の例の右側には、それぞれの画像の種類毎の正常または異常との判定結果が示されており、従来においては、点線で示されるように番号１乃至４の画像において正常と判定され、番号５，６の画像のみが異常であると判定されていたが、本願においては、実線で示されるように番号１，２が正常として判定され、それ以外は異常と判定される。
【０１２４】
また、正常または異常の判定結果の右側には、生体情報認識装置２１への通知の有無が、従来の場合と本発明を適用した場合について記述されており、従来においては、番号１の画像については、正常な画像であって、信頼度閾値よりも小さな画像ではないので、抽出された顔画像が生体情報認識装置２１に通知され、番号２乃至４については、信頼度閾値よりも小さいため、顔画像として抽出されることも無く、さらに、異常であるとも判定されないため、何の情報も生体情報認識装置２１には通知されない。また、番号５，６については、異常と判定されるので、カメラ３８そのものに異常が発生していることが通知される。
【０１２５】
これに対して、本発明を適用した場合、信頼度閾値が変更されることにより、番号１，２の信頼度はいずれも信頼度閾値よりも小さくないので画像が照合処理に用いられる顔画像として生体情報認識装置２１に通知され、番号３，４で示される画像については信頼度が信頼度閾値よりも次第に低減されていくが、下限値よりも小さくなると、異常と判定されることになるため、生体情報認識装置２１には、悪戯が発生している可能性があることが通知され、番号５，６の画像については、カメラ３８そのものに異常が発生していることが通知される。
【０１２６】
結果として、悪戯行為により顔画像による照合ができないような状態を早期に発見することが可能となると共に、多少条件の悪い顔画像であっても、照合処理に利用可能なレベルであれば、照合処理に利用することが可能となる。
【０１２７】
尚、以上の例においては、カメラ３８を使用した場合について説明してきたが、入口カメラ４０や店内カメラ４１でも同様の処理が可能である。ただし、入口カメラ４０および店内カメラ４１は、遊技台３６には対応していないので稼働状況を考慮する必要は無いが、稼働状況に代えて、撮像している範囲内に、人物が存在するか否かの情報を別の手法で検出し、撮像している範囲内に人物が存在する場合には、上述した遊技台３６が稼動中である場合と同様に処理し、撮像している範囲内に人物が存在しない場合には、上述した遊技台３６が稼働していない場合と同様に処理する必要がある。
【０１２８】
次に、図１８のフローチャートを参照して、登録遊技者来店監視処理について説明する。
【０１２９】
ステップＳ１０１において、生体情報認識装置２１の顔画像取得部２２１は、上述したステップＳ６の処理により送信されてくる顔画像を取得する。ステップＳ１０２において、顔画像取得部２２１は、供給された顔画像のうち、いずれか未処理の１つを抽出し、特徴量抽出部２３１に供給する。
【０１３０】
ステップＳ１０３において、照合部２２２の特徴量抽出部２３１は、供給されてきた顔画像より特徴量を抽出して、顔画像と供に類似度計算部２３２に供給する。
【０１３１】
ステップＳ１０４において、類似度計算部２３２は、特徴量抽出部２３１より供給された顔画像についての、目と目の間隔、あごから額までの長さと、あごから鼻のまでの長さの比率などの各種の顔の特徴量と、生体情報DB２２に登録されている登録遊技者DB２６２に登録されている顔画像における同様の特徴量とを用いて、それぞれの差分和、平均比率、または比率和などを類似度として計算し、計算結果である登録遊技者DB２６２に登録されている顔画像との類似度の順位を求め、登録遊技者DB２６２に登録されている顔画像のうちの上位３位までの顔画像と類似度の情報を、特徴量抽出部２３１より供給されてきた顔画像と供に類似度判定部２３３に供給する。
【０１３２】
ステップＳ１０５において、類似度判定部２３３は、類似度計算部２３２より供給されてくる上位３位までの顔画像と類似度の情報に基づいて、最上位の類似度が所定の閾値よりも大きいか否かを判定する。すなわち、類似度判定部２３３は、最も類似している登録遊技者（生体情報DB２２に登録されている顔画像のうち、顔画像取得部２２１により取得された顔画像と最も類似している登録遊技者：ここでは、類似度の最も高い登録遊技者）の類似度を所定の閾値と比較する。
【０１３３】
尚、上述のように、類似度の定義により、撮像された顔画像と最も類似している登録遊技者の顔画像との類似度は、その値そのものが最も高いとは限らないため、類似度と閾値との大小関係はこの例の場合とは異なることがある。
【０１３４】
ステップＳ１０５において、最上位の類似度が所定の閾値よりも大きいと判定された場合、ステップＳ１０６において、類似度判定部２３３は、類似度計算部２３２より供給されてきた上位３位の顔画像が登録遊技者の顔画像の候補であることを示す報知画面３０１を表示部２３を制御して表示させる。
【０１３５】
このとき、例えば、図１９で示されるような報知画面３０１が、表示部２３に表示される。
【０１３６】
図１９の報知画面３０１においては、カメラ画像表示欄３１１が、左中段に設けられており、画像処理ユニット３９より供給されてきた顔画像が表示される。また、その右側には、類似度の高い順に第１候補乃至第３候補までの類似度の上位３位の登録遊技者の顔画像表示欄３１２−１乃至３１２−３が設けられている。さらに、各登録遊技者の顔画像表示欄３１２−１乃至３１２−３の下には、類似度レベル表示欄３１３−１乃至３１３−３が設けられており、類似度のレベルが表示されている。図１９において、黒で示される領域の横方向の長さが類似度の大きさを示している。
【０１３７】
また、類似度レベル表示欄３１３−１乃至３１３−３の下には、対応する位置に、ID表示欄３１４−１乃至３１４−３が設けられており、各顔画像の生体情報DB２２における顔画像を識別するIDが表示されており、図１９において、左から「０００５１」、「０００１８」および「０００２２」と表示されている。
【０１３８】
さらに、ID表示欄３１４−１乃至３１４−３の下には、それぞれ対応する位置に、それぞれの候補を選択されるときに操作部２２５により操作される確定ボタン３１８−１乃至３１８−３が設けられている。
【０１３９】
また、カメラ画像表示欄３１１の下には、その顔画像を撮像したカメラを識別するカメラID表示欄３１５が設けられており、図１９においては、カメラ３８、入口カメラ４０、および店内カメラ４１を識別するためのカメラIDとして「カメラ０２」が表示されている。さらに、カメラID表示欄３１５の下には、時刻表示欄３１６が設けられており、入口カメラ４０により撮像された時刻が表示されており、図１９においては、「１８：２３：３２」と表示されており、カメラ画像表示欄３１１の顔画像が１８時２３分３２秒に撮像されていることが示されている。
【０１４０】
さらに、時刻表示欄３１６の下には、別人ボタン３１７が設けられており、カメラ画像の顔画像が、第１候補乃至第３候補となる登録遊技者の顔画像表示欄３１２−１乃至３１２−３のいずれにも似ていないとみなされたとき、操作部２２５により操作される。
【０１４１】
ステップＳ１０７において、通信部２２４は、操作部２２５が操作されて、候補となる顔画像の何れかが選択されたか否か、すなわち、例えば、図１９で示される報知画面３０１が表示部２３に表示されていた場合、確定ボタン３１８−１乃至３１８−３のいずれかが操作部２２５により操作されたか否かを判定する。
【０１４２】
ステップＳ１０７において、例えば、確定ボタン３１８−１が操作された場合、第１候補となる顔画像が選択されたとみなされ、ステップＳ１０８において、通信部２２４は、選択された第１候補となる顔画像および入口カメラ４０により撮像されたカメラ画像を携帯端末２０に送信し、該当する登録遊技者が来店したことを通知する。
【０１４３】
ステップＳ１２１において、通信部２７１は、登録遊技者の来店が通知されてきたか否かを判定し、通知されてくるまで、その処理を繰り返す。例えば、ステップＳ１２１において、ステップＳ１０８の処理により、登録遊技者の来店が通知されてきた場合、ステップＳ１２２において、通信部２７１は、生体情報認識装置２１より送信されてきた登録遊技者の来店の通知を受信すると供に、その通知に併せて送信されてくる登録遊技者の顔画像および入口カメラ４０により撮像されたカメラ画像を画像処理部２７２に供給する。画像処理部２７２は、選択された顔画像および入口カメラ４０により撮像されたカメラ画像の情報を、表示部２７３に表示可能な形式の情報に加工して、ステップＳ１２３において、表示部２７３に表示させる。
【０１４４】
以上の処理により、遊技店１内の係員は、携帯端末２０を所持していると、登録遊技者の来店を認識することが可能となる。
【０１４５】
また、ステップＳ１０９において、顔画像取得部２２１は、供給された顔画像の全てについて処理を行なったか否かを判定し、未処理の顔画像がある場合、処理は、ステップＳ１０２に戻る。すなわち、全ての顔画像について処理が行なわれるまで、ステップＳ１０２乃至Ｓ１１０の処理が繰り返される。そして、全ての顔画像について処理が終了したと判定された場合、処理は、ステップＳ１０１に戻る。
【０１４６】
一方、ステップＳ１０７において、いずれの候補となる顔画像も選択されず、例えば、図１９の報知画面３０１における別人ボタン３１７が押下された場合、または、ステップＳ１０５において、類似度計算部２３２より供給されてくる上位３位までの顔画像と類似度の情報に基づいて、最上位の類似度が所定の閾値よりも大きくない場合、すなわち、最も類似している登録遊技者の顔画像であっても類似度が、所定の閾値未満である場合、ステップＳ１１０において、類似度判定部２３３は、画像処理ユニット３９より供給されてきた顔画像を未登録遊技者データベース登録部２２３に供給する。未登録遊技者データベース登録部２２３は、供給されてきた顔画像を生体管理情報バス６及び公衆通信回線網８を介して生体情報管理データベース３にアクセスし、未登録遊技者DB２６１に登録する。
【０１４７】
以上の処理により、生体情報認識装置２１により画像処理ユニット３９より供給されてきた顔画像が、生体情報DB２２に登録されていないとみなされると、生体情報管理センタ２により管理されている生体情報管理DB３内の未登録遊技者DB２６１に未登録遊技者の顔画像として登録される。
【０１４８】
次に、図２０のフローチャートを参照して、登録遊技者DB２６２の更新処理について説明する。
【０１４９】
ステップＳ１６１において、生体情報管理センタ２のDB更新判定部２５３は、RTC２５３ａに問合せて、所定の時間が経過したか否かを判定し、所定の時間が経過するまで、その処理を繰り返す。例えば、ステップＳ１６１において、所定の時間が経過したと判定された場合、ステップＳ１６２において、DB更新判定部２５３は、生体情報管理DB３の未登録遊技者DB２６１にアクセスし、未登録遊技者が新たに登録されているか否かを判定し、新たな未登録遊技者が登録されていると判定されるまで、ステップＳ１６１，Ｓ１６２の処理を繰り返す。
【０１５０】
ステップＳ１６２において、例えば、ステップＳ１１０の処理により、新たに未登録遊技者が登録されていた場合、ステップＳ１６３において、DB更新判定部２５３は、未登録遊技者DB２６１に新たに登録された未登録遊技者のいずれかが所定回数以上登録されているか否かを判定し、所定回数以上ではない場合、その処理は、ステップＳ１６１に戻る。
【０１５１】
一方、ステップＳ１６３において、例えば、所定回数以上未登録遊技者DB２６１に登録されている未登録遊技者が存在すると判定された場合、ステップＳ１６４において、DB更新判定部２５３は、DB更新部２５２に対して、登録遊技者DB２６２の更新をするべき状態になったことを通知する。これに応じて、DB更新部２５２は、未登録遊技者DB２６１にアクセスし、所定回数以上登録されている未登録遊技者の顔画像の情報を全て読み出すと供に、登録遊技者DB２６２にアクセスし、読み出した所定回数以上登録されていた未登録遊技者の顔画像の情報に、顔画像を識別するIDを付して、登録遊技者DB２６２に追加登録して、更新する。さらに、DB更新部２５２は、登録遊技者DB２６２が更新されたことをDB配信部２５１に通知する。尚、登録遊技者DB２６２の更新が終了した時点で、所定回数以上登録されていた未登録遊技者は、未登録遊技者DB２６１より削除される。
【０１５２】
ステップＳ１６５において、DB配信部２５１は、生体情報管理DB３の新たに更新された登録遊技者DB２６２にアクセスし、読み出すと供に、生体情報認識装置２１のデータベース管理部２２６に読み出した登録遊技者DB２６２を配信する。
【０１５３】
ステップＳ１８１において、データベース管理部２２６は、生体情報管理センタ２より更新された新たな登録遊技者DB２６２が配信されてきたか否かを判定し、配信されてくるまで、その処理を繰り返す。
【０１５４】
ステップＳ１８１において、例えば、ステップＳ１６５の処理により、生体情報管理センタ２のDB配信部２５１より新たに更新された登録遊技者DB２６２が配信されてくると、ステップＳ１８２において、データベース管理部２２６は、配信されてくる登録遊技者DB２６２を取得すると供に、登録遊技者DB２６２の情報に基づいて、生体情報DB２２を更新する。より詳細には、データベース管理部２２６は、生体情報DB２２に、新たに配信されてきた登録遊技者DB２６２の情報をコピーして上書きする。
【０１５５】
以上の処理により、遊技店１−１乃至１−ｎのいずれかで、未登録遊技者として所定回数以上未登録遊技者DB２６１に登録されると、登録遊技者DB２６２に追加登録されることにより、遊技店１−１乃至１−ｎのいずれの生体情報認識装置２１の生体情報DB２２にデータベース化して登録されることになるので、複数の遊技店１においても、入口カメラ４０により撮像されると、登録遊技者として来店が報知されることになる。また、登録遊技者DB２６２は、各遊技店１−１乃至１−ｎからの情報に基づいて更新されていくので、複数の店舗における顧客来店記録を生成することが可能となり、顧客来店記録を統合的に管理することが可能となる。
【０１５６】
尚、以上においては、遊技店の監視システムにおける例について説明してきたが、画像により生体情報を取得して照合処理を行なうものであれば良いものであるので、遊技店に限定されるものではなく、大型商業施設や遊園地などで利用するようにしてもよい。また、以上においては、生体情報として顔画像を用いる例について説明してきたが、画像により取得される生体情報であれば顔画像以外でもよく、例えば、指紋などの生体情報を用いるような場合にも適用することができる。
【０１５７】
以上の発明によれば、所定期間以上顔画像が抽出できない状態となる場合、所定値だけ信頼度閾値を小さくするようにして、顔画像を抽出し易くした後、顔画像が抽出できない状態が継続したとき、撮像される画像に異常が発生するように何らかの悪戯がなされたものとみなすようにすることで、悪戯が検知されるようにしたので、悪戯行為により顔画像による照合ができないような状態を早期に発見することが可能となる。
【０１５８】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１５９】
図２１は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１６０】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１６１】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１６２】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１６３】
また、本明細書において、システムとは、複数の装置により構成される装置全体を表すものである。
【図面の簡単な説明】
【０１６４】
【図１】本発明を適用した監視システムの一実施の形態の構成を示す図である。
【図２】図１のカメラの設置例を示す図である。
【図３】図１のカメラの設置例を示す図である。
【図４】図１のカメラの設置例を示す図である。
【図５】図１のカメラの設置例を示す図である。
【図６】図１のカメラの設置例を示す図である。
【図７】図１のカメラの設置例を示す図である。
【図８】図１の入口カメラおよび店内カメラの設置例を示す図である。
【図９】図１の画像処理ユニットの構成例を説明する図である。
【図１０】図１の生体情報認識装置の構成例を説明する図である。
【図１１】図１０の悪戯検知部の構成例を説明する図である。
【図１２】図１の生体情報管理センタおよび生体情報管理DBの構成例を説明する図である。
【図１３】図１の携帯端末の構成例を説明する図である。
【図１４】図１の遊技店管理装置の構成例を説明する図である。
【図１５】顔画像抽出処理を説明するフローチャートである。
【図１６】遊技台管理データベースを説明する図である。
【図１７】顔画像抽出処理による効果を説明する図である。
【図１８】登録遊技者来店監視処理を説明するフローチャートである。
【図１９】報知画像の表示例を説明する図である。
【図２０】登録遊技者DB更新処理を説明するフローチャートである。
【図２１】汎用のパーソナルコンピュータの構成例を説明する図である。
【符号の説明】
【０１６５】
１，１−１乃至１−ｎ  遊技店
２  生体情報管理センタ
３  生体情報管理データベース
４  第３者遊技店管理センタ
５  第３者遊技店管理データベース
６  生体情報管理バス
７  第３者遊技店管理バス
８，９  公衆通信回線網
２１  生体情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算販売機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−（ｍ＋ｐ＋ｑ）  画像処理ユニット
４０，４０−１乃至４０−ｐ  入口カメラ
４１，４１−１乃至４１−ｑ  店内カメラ
【図１】
2008187532.tif 000003
【図２】
2008187532.tif 000004
【図３】
2008187532.tif 000005
【図４】
2008187532.tif 000006
【図５】
2008187532.tif 000007
【図６】
2008187532.tif 000008
【図７】
2008187532.tif 000009
【図８】
2008187532.tif 000010
【図９】
2008187532.tif 000011
【図１０】
2008187532.tif 000012
【図１１】
2008187532.tif 000013
【図１２】
2008187532.tif 000014
【図１３】
2008187532.tif 000015
【図１４】
2008187532.tif 000016
【図１５】
2008187532.tif 000017
【図１６】
2008187532.tif 000018
【図１７】
2008187532.tif 000019
【図１８】
2008187532.tif 000020
【図１９】
2008187532.tif 000021
【図２０】
2008187532.tif 000022
【図２１】
2008187532.tif 000023